【手続補正書】
【提出日】平成15年11月12日(2003.11.12)
【手続補正１】
【補正対象書類名】明細書
【補正対象項目名】特許請求の範囲
【補正方法】変更
【補正の内容】
【特許請求の範囲】
【請求項１】
時系列上の複数画面の原画像データを圧縮符号化して記録媒体に記録する画像記録装置であって、
前記記録媒体の空き領域をリングバッファとして管理する管理手段と、
動作開始を指令する開始信号と動作終了を指令する終了信号を検出する検出手段と、
前記圧縮符号化データを前記リングバッファに記録するための動作を前記開始信号に応じて開始させ、前記終了信号に応じて終了させる制御手段と、
前記リングバッファに記録された圧縮符号化データの中から保存用データを選択する選択手段と、
を有する画像記録装置。
【請求項２】
時系列上の複数画面の原画像データを圧縮符号化して記録媒体に記録する画像記録装置であって、
前記記録媒体の空き領域をリングバッファとして管理する管理手段と、
動作開始を指令する開始信号と動作終了を指令する終了信号を検出する検出手段と、
前記圧縮符号化データを前記リングバッファに記録するための動作を前記開始信号に応じて開始させ、前記終了信号に応じて終了させる制御手段と、
前記リングバッファに記録された圧縮符号化データの中から保存用データを選択する選択手段と、
前記保存用データの記録領域を非空き領域として設定する設定手段と、
を有する画像記録装置。
【請求項３】
請求項１又は２に於いて、
前記選択手段は、前記終了信号の検出時刻の所定時間前から該検出時刻までの間に記録された圧縮符号化データを前記保存用データとして選択する、
画像記録装置。
【請求項４】
時系列上の複数画面の原画像データを圧縮符号化して記録媒体に記録する画像記録装置であって、
前記記録媒体の空き領域をリングバッファとして管理する管理手段と、
動作開始を指令する開始信号と動作終了を指令する終了信号を検出する検出手段と、
前記圧縮符号化データを前記リングバッファに記録するための動作を前記開始信号に応じて開始させ、前記終了信号に応じて終了させる制御手段と、
前記リングバッファに記録された圧縮符号化データを復号して再生画像データを出力する復号手段と、
前記再生画像データに基づく画像をモニタに表示する表示手段と、
前記モニタに表示されている画像を指定するための入力手段と、
前記リングバッファに記録された圧縮符号化データの中から前記入力手段により指定された画像に基づいて保存用データを選択する選択手段と、
を有する画像記録装置。
【請求項５】
時系列上の複数画面の原画像データを圧縮符号化して記録媒体に記録する画像記録装置であって、
前記記録媒体の空き領域をリングバッファとして管理する管理手段と、
動作開始を指令する開始信号と動作終了を指令する終了信号を検出する検出手段と、
前記圧縮符号化データを前記リングバッファに記録するための動作を前記開始信号に応じて開始させ、前記終了信号に応じて終了させる制御手段と、
前記リングバッファに記録された圧縮符号化データを復号して再生画像データを出力する復号手段と、
前記再生画像データに基づく画像をモニタに表示する表示手段と、
前記モニタに表示されている画像を指定するための入力手段と、
前記リングバッファに記録された圧縮符号化データの中から前記入力手段により指定された画像に基づいて保存用データを選択する選択手段と、
前記保存用データの記録領域を非空き領域として設定する設定手段と、
を有する画像記録装置。
【請求項６】
請求項４又は５に於いて、
前記選択手段は、前記入力手段により指定された画像から前記終了信号の検出時刻直前に前記リングバッファに記録された画像までを選択する、
画像記録装置。
【請求項７】
請求項４又は５に於いて、
前記入力手段は、画像の始点と終点を指定する手段であり、
前記選択手段は、前記入力手段により指定された始点画像から終点画像までを保存用データとして選択する、
画像記録装置。
【請求項８】
請求項４〜請求項７の何れかに於いて、
前記復号手段は前記終了信号に応じて前記復号を開始して、前記圧縮符号化データを時間の逆順に復号する、
画像記録装置。
【請求項９】
請求項４〜請求項７の何れかに於いて、
前記圧縮符号化はＭＰＥＧ規格に従う方式で行われ、
前記復号手段は前記終了信号に応じて前記復号を開始して、ＭＰＥＧ規格のＩピクチャを時間の逆順に復号する、
画像記録装置。
【請求項１０】
請求項１〜請求項９の何れかに於いて、
前記検出手段は画像の取り込みを指令するシャッタースイッチの操作に対応する信号を前記開始信号として検出し、該操作の解除に対応する信号を前記終了信号として検出する、
画像記録装置。
【請求項１１】
被写体に対応する原画像信号を出力する撮像手段と、該原画像信号を入力して原画像データを出力する信号処理回路を備え、
前記信号処理手段から出力される原画像データを請求項１０の画像記録装置によって処理する、
電子スチルカメラ。
【手続補正２】
【補正対象書類名】明細書
【補正対象項目名】０００６
【補正方法】変更
【補正の内容】
【０００６】
【課題を解決するための手段】
請求項１の発明は、時系列上の複数画面の原画像データを圧縮符号化して記録媒体に記録する画像記録装置であって、前記記録媒体の空き領域をリングバッファとして管理する管理手段と、動作開始を指令する開始信号と動作終了を指令する終了信号を検出する検出手段と、前記圧縮符号化データを前記リングバッファに記録するための動作を前記開始信号に応じて開始させ前記終了信号に応じて終了させる制御手段と、前記リングバッファに記録された圧縮符号化データの中から保存用データを選択する選択手段と、を有する画像記録装置である。
請求項２の発明は、時系列上の複数画面の原画像データを圧縮符号化して記録媒体に記録する画像記録装置であって、前記記録媒体の空き領域をリングバッファとして管理する管理手段と、動作開始を指令する開始信号と動作終了を指令する終了信号を検出する検出手段と、前記圧縮符号化データを前記リングバッファに記録するための動作を前記開始信号に応じて開始させ前記終了信号に応じて終了させる制御手段と、前記リングバッファに記録された圧縮符号化データの中から保存用データを選択する選択手段と、前記保存用データの記録領域を非空き領域として設定する設定手段と、を有する画像記録装置である。
上記制御手段により開始／終了を制御される動作、即ち、「圧縮符号化データをリングバッファに記録するための動作」は、「圧縮符号化データをリングバッファに記録する動作」に限定されない。例えば、「圧縮符号化データを全てリングバッファに記録するように構成するとともに圧縮符号化の開始／終了を上記制御手段により制御する等の構成をも含む。


【手続補正３】
【補正対象書類名】明細書
【補正対象項目名】０００７
【補正方法】変更
【補正の内容】
【０００７】
請求項３の発明は、請求項１又は２の構成に於いて、前記終了信号の検出時刻の所定時間前から該検出時刻までの間に記録された圧縮符号化データを、前記選択手段が前記保存用データとして選択する、画像記録装置である。


【手続補正４】
【補正対象書類名】明細書
【補正対象項目名】０００８
【補正方法】変更
【補正の内容】
【０００８】
請求項４の発明は、時系列上の複数画面の原画像データを圧縮符号化して記録媒体に記録する画像記録装置であって、前記記録媒体の空き領域をリングバッファとして管理する管理手段と、動作開始を指令する開始信号と動作終了を指令する終了信号を検出する検出手段と、前記圧縮符号化データを前記リングバッファに記録するための動作を前記開始信号に応じて開始させ、前記終了信号に応じて終了させる制御手段と、前記リングバッファに記録された圧縮符号化データを復号して再生画像データを出力する復号手段と、前記再生画像データに基づく画像をモニタに表示する表示手段と、前記モニタに表示されている画像を指定するための入力手段と、前記リングバッファに記録された圧縮符号化データの中から前記入力手段により指定された画像に基づいて保存用データを選択する選択手段と、を有する画像記録装置である。
請求項５の発明は、時系列上の複数画面の原画像データを圧縮符号化して記録媒体に記録する画像記録装置であって、前記記録媒体の空き領域をリングバッファとして管理する管理手段と、動作開始を指令する開始信号と動作終了を指令する終了信号を検出する検出手段と、前記圧縮符号化データを前記リングバッファに記録するための動作を前記開始信号に応じて開始させ、前記終了信号に応じて終了させる制御手段と、前記リングバッファに記録された圧縮符号化データを復号して再生画像データを出力する復号手段と、前記再生画像データに基づく画像をモニタに表示する表示手段と、前記モニタに表示されている画像を指定するための入力手段と、前記リングバッファに記録された圧縮符号化データの中から前記入力手段により指定された画像に基づいて保存用データを選択する選択手段と、前記保存用データの記録領域を非空き領域として設定する設定手段と、を有する画像記録装置である。
上記制御手段の構成が、「圧縮符号化データをリングバッファに記録する動作」に限定されない点については、請求項１又は２の場合と同様である。


【手続補正５】
【補正対象書類名】明細書
【補正対象項目名】０００９
【補正方法】変更
【補正の内容】
【０００９】
請求項６の発明は、請求項４又は５の構成に於いて、前記入力手段により指定された画像から前記終了信号の検出時刻直前に前記リングバッファに記録された画像までを、前記選択手段が選択する、画像記録装置である。
請求項７の発明は、請求項４又は５の構成に於いて、前記入力手段は画像の始点と終点を指定する手段であり、前記選択手段は前記入力手段により指定された始点画像から終点画像までを保存用データとして選択する、画像記録装置である。


【手続補正６】
【補正対象書類名】明細書
【補正対象項目名】００１０
【補正方法】変更
【補正の内容】
【００１０】
請求項８の発明は、請求項４〜請求項７の何れかの構成に於いて、前記復号手段が前記終了信号に応じて前記復号を開始して前記圧縮符号化データを時間の逆順に復号する、画像記録装置である。
請求項９の発明は、請求項４〜請求項７の何れかの構成に於いて、前記圧縮符号化がＭＰＥＧ規格に従う方式で行われ、前記復号手段が前記終了信号に応じて前記復号を開始してＭＰＥＧ規格のＩピクチャを時間の逆順に復号する、画像記録装置である。


【手続補正７】
【補正対象書類名】明細書
【補正対象項目名】００１１
【補正方法】変更
【補正の内容】
【００１１】
請求項１０の発明は、請求項１〜請求項９の何れかの構成に於いて、前記検出手段が、画像の取り込みを指令するシャッタースイッチの操作に対応する信号を前記開始信号として検出し、該操作の解除に対応する信号を前記終了信号として検出する、画像記録装置である。
請求項１１の発明は、被写体に対応する原画像信号を出力する撮像手段と、該原画像信号を入力して原画像データを出力する信号処理回路を備え、前記信号処理手段から出力される原画像データを請求項１０の画像記録装置によって処理する、電子スチルカメラである。


【手続補正８】
【補正対象書類名】明細書
【補正対象項目名】００２２
【補正方法】変更
【補正の内容】
【００２２】
【発明の効果】
本発明では、比較的長時間の複数画面もしくは動画像を記録することができ、さらに、最適な画面もしくは動画像を後に選択して保存することができる。